(57)【要約】【課題】より簡易な構成で複数の撮像レンズ系を保護でき得るカメラを提供する。【解決手段】カメラは、複数の撮像レンズ系１２ａ，１２ｂと、これらに対応する複数の開口部１４ａ，１４ｂを有している。単一の遮蔽部材であるバリア１６は、カメラの長尺方向に往復直線移動することにより、この開口部１４ａ，１４ｂのうち外部に露出させる開口部を択一的に切り替えることができる。また、当然ながら、このバリア１６は、二つの開口部１４ａ，１４ｂを同時に覆うこともできる。【選択図】図２
2007041023.tif 000002
【特許請求の範囲】
【請求項１】
複数の撮像レンズ系を備えたカメラであって、
前記複数の撮像レンズ系それぞれに対応して設けられ、対応する撮像レンズ系に被写界光を導く複数の光入射口と、
複数の光入射口を覆う遮蔽部材と、
遮蔽部材を一方向に往復移動させることにより、前記複数の光入射口のうち外部に露出させる一つの光入射口を択一的に切り替える切替手段と、
を備えることを特徴とするカメラ。
【請求項２】
請求項１に記載のカメラであって、
切替手段は、遮蔽部材をほぼ直線状に移動させることを特徴とするカメラ。
【請求項３】
請求項１または２に記載のカメラであって、
切替手段は、遮蔽部材をカメラの長尺方向に移動させることを特徴とするカメラ。
【請求項４】
請求項３に記載のカメラであって、
二つの撮像レンズ系および二つの光入射口を備えている場合に、
前記二つの光入射口は、カメラの長尺方向に隣接して配置されていることを特徴とするカメラ。
【請求項５】
請求項３に記載のカメラであって、
遮蔽部材は、略幾何学形状に、光入射口の数および位置に応じて切欠きが設けられた形状であることを特徴とするカメラ。
【請求項６】
請求項５に記載のカメラであって、
二つの撮像レンズ系および二つの光入射口を備えている場合に、
前記二つの光入射口は、カメラの短尺方向に隣接して配置されており、
遮蔽部材は、互いに対向する一対の対角部分に切欠きが形成された略矩形状であることを特徴とするカメラ。
【請求項７】
請求項１から６のいずれか１項に記載のカメラであって、さらに、
撮像において使用する撮像レンズ系を切り替えるレンズ切替手段を備え、
切替手段およびレンズ切替手段は、撮影に使用される撮像レンズ系の光入射口が露出されるべく互いに連動して動作することを特徴とするカメラ。
【請求項８】
請求項１から７のいずれか１項に記載のカメラであって、さらに、
複数の撮像レンズ系それぞれに対応して設けられた複数の発光手段と、
前記複数の発光手段のうち撮像に使用する発光手段を切り替える発光切替手段と、
を備え、
切替手段および発光切替手段は、露出された光入射口に対応した発光手段が撮像に使用されるべく互いに連動して動作することを特徴とするカメラ。
【請求項９】
請求項８にかかるカメラであって、
撮像レンズ系、光入射口、発光手段がそれぞれ二つずつ設けられている場合に、
前記二つの光入射口は、カメラの長尺方向に隣接して配置されており、
前記二つの発光手段は、各発光手段とこれに対応する光入射口とを結んだ二つの線が互いに交差する位置であって、光入射口より上側の位置に設けられることを特徴とするカメラ。
【請求項１０】
請求項１から９のいずれか１項に記載のカメラであって、さらに、
前記複数の光入射口が設けられている基板と、
カメラの筐体の外装体であって、前記複数の光入射口の全てを覆う位置にある遮蔽部材との協働により前記基板を外部から完全に遮断でき得る形状の外装体と、
を備えることを特徴とするカメラ。
【発明の詳細な説明】
【技術分野】
【０００１】
本発明は、複数の撮像レンズ系を備えたカメラに関し、特に、この複数の撮像レンズ系の保護に関する。
【背景技術】
【０００２】
従来から、複数の撮像レンズ系を備えたカメラが知られている。かかるカメラにおいては、複数の撮像レンズ系の光学特性、例えば、焦点距離や画角などを互いに異なるものとしている。これにより、一つのカメラで様々な条件での撮影が可能となる。
【０００３】
ところで、通常のカメラにおいては、撮影レンズ系を保護する遮蔽部材が設けられている。通常、遮蔽部材は、移動可能に構成されており、撮像レンズ系に光を導くための開口部を、露出または遮蔽でき得る。そして、遮蔽部材は、撮影時には開口部を露出できる位置に移動し、非撮影時には開口部を覆うことにより撮影レンズ系を保護している。
【０００４】
複数の撮像レンズ系を備えるカメラにおいても、当然、かかる遮蔽部材を設けることが望まれている。しかし、複数の撮像レンズ系を備えるカメラでは、開口部も当然複数となる。開口部が複数の場合、これを保護する遮蔽部材が大型となったり、遮蔽部材の移動機構が複雑になったりするという問題が生じやすい。
【０００５】
特許文献１には、単一の遮蔽部材（上蓋）で複数のレンズを覆うカメラが開示されている。このカメラでは、複数のレンズを回転可能な回転板に設けている。遮蔽部材は、この回転板を覆う位置に設けられている。また、この遮蔽部材の中心には貫通穴が設けられている。回転板は、この貫通孔の位置に複数のレンズのうちの一つが位置するように、回転する。この回転により、外部に露出するレンズが適宜、切り替わる。なお、いずれのレンズも使用しない場合には、全てのレンズが貫通孔から外れた位置になるように、回転板を回転させる。この特許文献１に記載の技術によれば、比較的、簡易な構成で複数のレンズを保護することができる。
【０００６】
【特許文献１】実開平４−１２０９４８号公報
【発明の開示】
【発明が解決しようとする課題】
【０００７】
しかしながら、特許文献１に記載のカメラでは、遮蔽部材ではなくレンズを移動させている。特許文献１に記載のカメラにおいて、撮像レンズ系は、単一のレンズのみから構成される。したがって、比較的簡易な構成でレンズを移動できる。しかし、近年のカメラで使用される撮像レンズ系は、複数のレンズから構成されており、複雑な構成となっている。かかる撮像レンズ系を移動させることは容易ではない。また、特許文献１に記載のカメラでは、遮蔽部材の直径を、複数のレンズを配置している回転板の直径の２倍近くにする必要がある。つまり、特許文献１に記載のカメラでは、遮蔽部材が大型になりやすい。
【０００８】
そこで、本発明では、より簡易な構成で複数の撮像レンズ系を保護でき得るカメラを提供することを目的とする。
【課題を解決するための手段】
【０００９】
本発明のカメラは、複数の撮像レンズ系を備えたカメラであって、前記複数の撮像レンズ系それぞれに対応して設けられ、対応する撮像レンズ系に被写界光を導く複数の光入射口と、複数の光入射口を覆う遮蔽部材と、遮蔽部材を一方向に往復移動させることにより、前記複数の光入射口のうち外部に露出させる一つの光入射口を択一的に切り替える切替手段と、を備えることを特徴とする。
【００１０】
好適な態様では、切替手段は、遮蔽部材をほぼ直線状に移動させる。他の好適な態様では、切替手段は、遮蔽部材をカメラの長尺方向に移動させる。このとき、二つの撮像レンズ系および二つの光入射口を備えている場合には、前記二つの光入射口は、カメラの長尺方向に隣接して配置されていることが望ましい。また、遮蔽部材は、略幾何学形状に、光入射口の数および位置に応じて切欠きが設けられた形状であることも望ましい。例えば、二つの撮像レンズ系および二つの光入射口を備えている場合に、前記二つの光入射口は、カメラの短尺方向に隣接して配置されており、遮蔽部材は、互いに対向する一対の対角部分に切欠きが形成された不完全矩形状であることが望ましい。
【００１１】
他の好適な態様では、さらに、撮像において使用する撮像レンズ系を切り替えるレンズ切替手段を備え、切替手段およびレンズ切替手段は、撮影に使用される撮像レンズ系の光入射口が露出されるべく互いに連動して動作する。
【００１２】
他の好適な態様では、さらに、複数の撮像レンズ系それぞれに対応して設けられた複数の発光手段と、前記複数の発光手段のうち撮像に使用する発光手段を切り替える発光切替手段と、を備え、切替手段および発光切替手段は、露出された光入射口に対応した発光手段が撮像に使用されるべく互いに連動して動作する。このとき、撮像レンズ系、光入射口、発光手段がそれぞれ二つずつ設けられている場合に、前記二つの光入射口は、カメラの長尺方向に隣接して配置されており、前記二つの発光手段は、各発光手段とこれに対応する光入射口とを結んだ二つの線が互いに交差する位置であって、光入射口より上側の位置に設けられることが望ましい。
【００１３】
他の好適な態様では、前記複数の光入射口が設けられている基板と、カメラの筐体の外装体であって、前記複数の光入射口の全てを覆う位置にある遮蔽部材との協働により前記基板を外部から完全に遮断でき得る形状の外装体と、を備える。
【００１４】
なお、ここで、カメラとは、デジタルカメラ、フィルムカメラのいずれでもよい。また、光入射口は、撮像レンズ系に被写界光を導くものであれば、開口であってもよいし、撮像レンズ系のうち最も物体側に位置するレンズであってもよい。
【発明の効果】
【００１５】
本発明によれば、遮蔽部材を一方向に往復移動させることにより、露出させる光入射口を択一的に切り替えている。したがって、遮蔽部材の移動機構を簡略化でき、簡易な構成で複数の撮像レンズ系を保護できる。また、移動機構の簡略化に伴い、部品点数の削減、ひいては、カメラの小型化、コスト低減を図ることができる。
【発明を実施するための最良の形態】
【００１６】
以下、本発明の第一実施形態について図面を参照して説明する。図１は本発明の第一実施形態であるデジタルカメラ１０の斜視図であり、図２はデジタルカメラ１０の内部の様子を示す一部透視図である。また、図３は、デジタルカメラ１０の背面図である。図４は、図１における概略Ｂ−Ｂ断面図である。
【００１７】
このデジタルカメラ１０は、焦点距離が互いに異なる二つの撮像レンズ系１２ａ，１２ｂを備えている。第一撮像レンズ系１２ａは広角での撮像に、第二撮像レンズ系１２ｂは望遠での撮像に好適な構成となっている。被写界光は、基板２２に形成された二つの開口部１４ａ，１４ｂを介して二つの撮像レンズ系１２ａ，１２ｂに導かれる。この二つの開口部１４ａ，１４ｂは、移動可能に構成された単一のバリア１６により適宜、露出または遮蔽される。以下、このデジタルカメラ１０について詳説する。
【００１８】
第一撮像レンズ系１２ａは、広角撮像に好適な撮像レンズ系であり、固定焦点のレンズ系である。この第一撮像レンズ系１２ａは、プリズム、複数のレンズ、絞り、光学的ローパスフィルタ等（いずれも図示せず）を備えている。開口部１４ａから導かれた被写界光は、プリズムにより略９０度折り曲げられ、カメラの正面向かって左側に導かれる。第一撮像レンズ系の背面には、シャッタ（図示せず）および第一撮像素子１３ａが設けられている。第一撮像レンズ系１２ａにより導かれた被写界光は、この第一撮像素子１３ａ上で結像され、撮像される。なお、第一撮像素子１３ａに代えて、フィルム面を設けてもよい。
【００１９】
第二撮像レンズ系１２ｂは、望遠撮像に好適な撮像レンズ系であり、第一撮像レンズ系１２ａに比して長焦点距離のズームレンズ系である。第二撮像レンズ系１２ｂは、第一撮像レンズ系１２ａの右側に設けられている。この第二撮像レンズ系１２ｂも、第一撮像レンズ系１２ａと同じく、複数のレンズ、プリズム、絞り等からなる。開口部１４ｂから導かれた被写界光は、プリズムにより略９０度に屈曲されてカメラの正面向かって右側に導かれる。第二撮像レンズ系１２ｂで導かれた被写界光は、当該第二撮像レンズ系１２ｂの背面に設けられた第二撮像素子１３ｂ上で結像され、撮像される。なお、この第二撮像素子１３ｂも、フィルム面としてもよい。第一撮像レンズ系１２ａおよび第二撮像レンズ系１２ｂは、横方向、すなわち、カメラの長尺方向に隣接して設けられている。そして、第一撮像レンズ系１２ａおよび第二撮像レンズ系１２ｂは、屈曲後の光軸が同一直線上になるように配置されている。
【００２０】
撮像レンズ系１２ａ，１２ｂの前面には基板２２が設けられている。基板２２には、第一開口部１４ａおよび第二開口部１４ｂが設けられている。第一開口部１４ａおよび第二開口部１４ｂは、いずれも、円形の孔である。第一開口部１４ａは第一撮像レンズ系１２ａに被写界光を導く位置に、第二開口部１４ｂは第二撮像レンズ系１２ａに被写界光を導く位置にそれぞれ設けられている。つまり、この第一、第二開口部１４は、それぞれ、対応する撮像レンズ系１２に被写界光を導く光入射口として機能する。ここで、第一撮像レンズ系１２ａおよび第二撮像レンズ系１２ｂは、互いに、長尺方向に隣接して配置されている。したがって、第一開口部１４ａおよび第二開口部１４ｂも、また、横方向、すなわち、カメラの長尺方向に隣接して形成されている。
【００２１】
この基板２２は、図４に図示する通り、カメラの外装体２０との間に僅かな間隙をもって配置されている。外装体２０には、円形の貫通孔１８が形成されている。この貫通孔１８は、基板２２に形成された第一、第二開口部１４ａ，１４ｂを外部に露出でき得る程度の大きさとなっている。基板２２と外装体２０との間隙には、バリア１６が配置されている。バリア１６は、外装体２０に設けられた貫通孔１８より若干大きな円形状の板材である。換言すれば、第一開口部１４ａおよび第二開口部１４ｂの両方を同時に遮蔽でき得る大きさの板材である。このバリア１６は、遮蔽部材として機能するもので、後述する移動機構３１によりカメラの長尺方向、すなわち、二つの開口部１４ａ，１４ｂの隣接方向に移動可能となっている。
【００２２】
この移動の際、バリア１６は、基板に対して摺動することになる。この摺動の際に、基板２２が傷つく場合がある。これを防止するために、本実施形態では、バリア１６の摺動面にプラスチック製の保護フィルム４８を貼着している（図４参照）。これにより、バリア１６の移動時における基板２２の損傷を低減できる。
【００２３】
移動機構３１は、モータ３２、当該モータ３２に接続されたリードスクリュー３４、および、一対のガイドレール４０（ただし、図２では下側ガイドレールのみを図示）を備えている。移動機構３１は、後述する制御部からの指示に応じて、バリア１６を一方向に往復移動させることにより、露出させる開口部１４を択一的に切り替える。つまり、この移動機構３１は、制御部と協働して切替手段として機能する。
【００２４】
移動機構３１のモータ３２は、後述する制御部からの指示に応じて、適宜、正転または反転する。このモータ３２の出力軸にはリードスクリュー３４が接続されている。リードスクリュー３４は、モータ３２の駆動に応じて正転、または、逆転する。このリードスクリュー３４は、バリア１６の上方において、バリア１６の移動方向、すなわち、カメラの長尺方向に平行に配置されている。このリードスクリュー３４には、バリア１６の上端から延設された螺合部３６が螺合されている。螺合部３６は、バリア１６の上端から上方に延びる部材で、雌ネジが形成されている。この雌ネジがリードスクリュー３４に螺合されている。一対のガイドレール４０（図２では下側レールのみを図示）は、バリア１６の移動時において、当該バリア１６を所定方向に案内する。一対のガイドレール４０は、それぞれ、バリア１６の上端付近の高さ、および、バリア１６の下端付近の高さに設けられている。各ガイドレール４０は、いずれも、バリア１６の移動方向に平行に配されている。
【００２５】
このような移動機構３１によりバリア１６は、長尺方向への往復移動が可能となっている。すなわち、モータの駆動によりリードスクリュー３４が自転すると、当該リードスクリュー３４に螺合された螺合部３６が移動する。螺合部３６はバリア１６に接続されているため、当然、この螺合部３６の移動に応じてバリア１６も長尺方向に移動する。この移動の際、バリア１６は、ガイドレール４０に当接しており、その移動方向が規制される。バリア１６の移動の向きは、モータ３２の回転方向の変更により、適宜、変更される。なお、ここで説明した移動機構３１の構成は一例であり、往復直線運動が可能であれば適宜、変更されてもよい。
【００２６】
バリア１６の移動軌跡上には、三つのリミットスイッチ３８ａ，３８ｂ，３８ｃが設けられている。この三つのリミットスイッチ３８ａ，３８ｂ，３８ｃは、バリア１６の位置検出手段として機能する。中央に位置する中央リミットスイッチ３８ａは、バリア１６が二つの開口部１４ａ，１４ｂを覆う位置に移動した際に、バリア１６によりスイッチングされる。右側に位置する右側リミットスイッチ３８ｂは、バリア１６が第二開口部のみを覆う位置に来た際に、バリア１６によりスイッチングされる。左側に位置する左側リミットスイッチ３８ｃは、バリアが第一開口部のみを覆う位置に来た際に、バリア１６によりスイッチングされる。各リミットスイッチ３８のスイッチング信号は、制御部に出力される。制御部は、このスイッチング信号に基づいて、バリア１６の位置を判断する。
【００２７】
デジタルカメラ１０の上側端部付近には、二つのストロボ２４ａ，２４ｂが設けられている。第一ストロボ２４ａは、第一撮像レンズ系１２ａの画角に応じた発光角度のストロボ光を照射する。第二ストロボ２４ｂは、第二撮像レンズ系１２ｂの画角に応じた発光角度のストロボ光を照射する。撮像時にいずれのストロボ２４ａ，２４ｂを用いるかは、後述する制御部により判断される。すなわち、制御部は、撮影時に使用するストロボを選択するストロボ選択手段として機能する。
【００２８】
第一ストロボ２４ａはカメラの正面向かって左側上部に設けられており、第二ストロボ２４ｂはカメラの正面向かって右側上部に設けられている。ここで、既述したとおり、第一撮像レンズ系１２ａの光入射口である第一開口部１４ａはカメラの正面向かって右側に、第二撮像レンズ系１２ｂの光入射口である第二開口部１４ｂはカメラの正面向かって左側に設けられている。すなわち、二組の対応する開口部１４およびストロボ２４は、対応する開口部１４およびストロボ２４を結んだ線が互いに交差するように配置されている。かかる配置とすることで、対応する開口部とストロボとの距離を長くすることができ、赤目の発生を低減できる。
【００２９】
カメラを操作するための操作スイッチは、カメラの上面および背面に設けられている。カメラの上面には、レリーズスイッチ等の操作スイッチ３０が設けられている。また、カメラの背面には、バリア１６の状態を設定するバリア設定スイッチ４２および電子ズーム量を設定するズームスイッチ４４が設けられている。バリア設定スイッチ４２は、レバー式のスイッチである。このバリア設定スイッチ４２は、「ＣＬＯＳＥ」、「ＷＩＤＥ」、「ＴＥＬＥ」の三つの状態を選択できるようになっている。制御部は、このバリア設定スイッチ４２で選択された状態に応じて、適宜、バリア１６を移動させる。具体的には、「ＣＬＯＳＥ」が選択された場合、バリア１６は、略中央、すなわち、二つの開口部を覆う位置に移動する。「ＷＩＤＥ」が選択された場合、バリア１６は右側に移動し、第一撮像レンズ系１２ａのみを露出させる。「ＴＥＬＥ」が選択された場合、バリア１６は左側に移動し、第二撮像レンズ系１２ｂのみを露出させる。
【００３０】
また、制御部は、このときのバリアの移動に連動して、駆動させる撮像レンズ系１２、撮像素子１３、ストロボ２４も切り替える。例えば、「ＷＩＤＥ」が選択された場合には、自動的に、第一撮像レンズ系１２ａ、第一撮像素子１３ａ、第一ストロボ２４が撮像に使用されると判断し、これらを駆動させる。
【００３１】
ズームスイッチ４４は、第一撮像レンズ系１２ａの電子ズーム量を設定するスイッチである。このズームスイッチ４４は、シーソースイッチで構成されている。ズームスイッチ４４の右側端部を押下すれば電子ズームが徐々にかけられ、左側端部を押下すれば電子ズームが徐々に解除される。
【００３２】
カメラの背面には、ＬＣＤ４６も設けられている。ＬＣＤ４６は、撮像素子１３で撮像される画像が表示される電子ファインダとして機能する。また、既に、撮像済みで記録媒体（図示せず）に記録されている画像データを再生、表示する再生モニタとしても機能する。さらに、必要に応じて、各種設定画面が表示されるユーザインターフェースの一種としても機能する。
【００３３】
図５は、このデジタルカメラの構成を示すブロック図である。図５に示す通り、カメラを構成する複数の撮像レンズ系１２ａ，１２ｂや撮像素子１３ａ，１３ｂ、ストロボ２４ａ，２４ｂ等は、制御部５０により制御されている。制御部５０は、ＣＰＵやメモリ等で構成される。制御部５０は、操作部を介して入力されたユーザからの指示に応じて、各部を制御する。具体的には、バリア設定スイッチ４２の操作を検知すれば、制御部５０は、当該操作内容に応じてバリア１６を移動させるべく移動機構３１に指示を出力する。また、制御部５０は、バリア１６の位置に基づいて露出されている開口部１４を判断し、当該判断された開口部１４に応じて動作させる撮像レンズ系１２、撮像素子１３、ストロボ２４を切り替える。なお、バリア１６の位置は、既述したように、リミットスイッチ３８のスイッチング信号に基づいて判断される。
【００３４】
次に、このデジタルカメラ１０におけるバリア１６の移動態様について図６を用いて説明する。図６は、バリア１６の移動の様子を示す図である。バリア設定スイッチ４２において「ＣＬＯＳＥ」が選択された場合、あるいは、カメラの電源が切られた場合、制御部５０は移動機構３１を駆動させてバリア１６をカメラの略中央位置に移動させる（図６（Ａ））。バリアが中央位置に移動すると、当該バリア１６により中央リミットスイッチ３８ａがスイッチングされる。このスイッチング信号は制御部５０に送信される。中央リミットスイッチ３８ａからのスイッチング信号を受信した制御部５０は、移動機構３１のモータを停止させて、バリア１６の移動を中止させる。このとき、二つの開口部１４ａ，１４ｂはバリアにより完全に覆われる。また、既述したようにバリア１６は、外装体２０に形成された貫通孔１８より若干大きい。したがって、バリア１６が略中央位置にある場合、開口部１４ａ，１４ｂが形成された基板２２は、バリア１６および外装体２０により完全に外部から遮断される。そのため、基板２２への埃等の侵入が確実に防止される。その結果、開口部１４、ひいては、開口部１４の奥側にある撮像レンズ系１２の確実な保護が図られる。
【００３５】
バリア設定スイッチ４２において「ＷＩＤＥ」が選択された場合、制御部５０は移動機構３１を駆動させてバリア１６をカメラの右側へと移動させる（図６（Ｂ））。バリア１６が右側の所定位置に移動すると、当該バリア１６により右側リミットスイッチ３８ｂがスイッチングされ、スイッチング信号が制御部５０に送信される。右側リミットスイッチ３８ｂからのスイッチング信号を受信した制御部５０は、移動機構３１のモータ３２を停止させて、バリア１６の移動を中止させる。このとき、第二開口部１４ｂはバリア１６により覆われ、第一開口部１４ａは外部に露出している。したがって、広角撮像に適した第一撮像レンズ系１２ａには第一開口部１４ａを介して被写界光が導かれる。制御部５０は、このバリアの移動に連動して、第一撮像レンズ系１２ａ、第一撮像素子１３ａ、および、第一ストロボ２４ａが、撮像で使用されるものと判断し、これらを動作させる。
【００３６】
バリア設定スイッチ４２において「ＴＥＬＥ」が選択された場合、制御部５０は移動機構３１を駆動させてバリア１６をカメラの左側へと移動させる（図６（Ｃ））。バリア１６が左側の所定位置に移動すると、当該バリア１６により左側リミットスイッチ３８ｃがスイッチングされ、スイッチング信号が制御部５０に送信される。左側リミットスイッチ３８ｃからのスイッチング信号を受信した制御部５０は、移動機構３１のモータ３２を停止させて、バリア１６の移動を中止させる。このとき、第一開口部１４ａはバリア１６により覆われ、第二開口部１４ｂは外部に露出している。したがって、望遠撮像に適した第二撮像レンズ系１２ｂには第二開口部１４ｂを介して被写界光が導かれる。また、制御部５０は、このバリア１６の移動に連動して、第二撮像レンズ系１２ｂ、第二撮像素子１３ｂ、および、第二ストロボ２４ｂが、撮像で使用されるものと判断し、これらを動作させる。
【００３７】
以上の説明から明らかなように、本実施形態では、バリア１６をカメラの長尺方向に直線往復移動させて、外部に露出させる開口部１４を択一的に切り替えている。これにより、極めて簡易な構成でバリア１６の移動機構を構成できる。特に、本実施形態では、バリア１６の移動方向を一方向（カメラ長尺方向）のみとしている。そのため、バリア１６の移動機構を単一の駆動原（モータ）で実現することができる。その結果、カメラ全体の部品点数を低減でき、ひいては、カメラの小型化、コスト低減を図ることができる。
【００３８】
また、本実施形態では、バリア１６の移動方向を横方向、換言すれば、カメラの長尺方向としている。カメラの長尺方向への移動とすることで、バリア１６の移動ストロークを確実に確保できる。なお、縦方向、すなわち、カメラの短尺方向にもバリア１６の移動ストロークが確保できるのであれば、当然、バリアの移動方向を縦方向としてもよい。
【００３９】
さらに、本実施形態では、バリア１６の移動位置に応じて、撮像で使用される撮像レンズ系１２、撮像素子１３、ストロボ２４を自動的に切り替えている。換言すれば、ユーザは、バリア設定スイッチ４２のみを操作すれば、自動的に、選択した設定での撮像が可能となる。これにより、カメラの操作性を向上できる。
【００４０】
なお、本実施形態では、二つの開口部１４を横方向に隣接配置しているが、当然、縦方向に隣接配置させてもよい。すなわち、図７に図示したように、二つの撮像レンズ系１２ａ，１２ｂが縦方向に隣接配置したカメラに本発明を適用してもよい。二つの撮像レンズ系１２ａ，１２ｂを縦方向に隣接配置した場合、基板２２に形成された二つの開口部１４ａ，１４ｂも縦方向に隣接して形成される。
【００４１】
この場合、バリア１６の形状を上述の実施形態と同様にすると、露出させる開口部１４を択一的に切り替えることができない。そこで、この場合では、バリア１６の端部を階段状にする。すなわち、バリア１６は、図７に図示している通り、二つの長方形を互いにカメラの長尺方向にずらして合わせたような形状とする。より具体的には、バリア１６の下半分は右側に突出し、バリアの上半分は左側に突出した形状とする。バリア１６を、このような形状とすることで、露出させる開口部１４を択一的に切り替えることができる。これについて図８を用いて説明する。図８は、バリア１６の移動の様子を概略的に示す図である。
【００４２】
バリア１６がカメラの略中央位置にある場合（図８（Ａ））、縦に隣接配置された二つの開口部１４ａ，１４ｂは、バリア１６により完全に覆われ、外部から遮断される。これにより、二つの開口部１４，１４ｂ、ひいては、当該開口部１４ａ，１４ｂの奥側に位置する撮像レンズ系１２ａ，１２ｂの保護が図られる。
【００４３】
続いて、バリア１６がカメラの右側に移動した場合（図８（Ｂ））、二つの開口部１４ａ，１４ｂのうち下側の開口部１４ｂのみがバリア１６により覆われる。その一方で、上側の開口部１４ａは外部に露出しており、対応する撮像レンズ系１２ａに被写界光を導くことができるようになっている。
【００４４】
バリア１６がカメラの左側に移動すると（図８（Ｃ））、今度は逆に、二つの開口部１４ａ，１４ｂのうち、上側の開口部１４ａのみがバリア１６により覆われる。その一方で、下側の開口１４ｂ部は外部に露出しており、対応する撮像レンズ系１２ｂに被写界光を導くことができるようになっている。
【００４５】
以上の説明から明らかなように、複数の開口部が縦方向に隣接配置された場合でも、露出させる開口部１４を択一的に切り替えることができる。このとき、バリア１６は、一方向にのみ移動している。したがって、バリア１６の移動機構の構成を簡易化でき、部品点数を低減できる。その結果、カメラの小型化、コスト低減を図ることができる。
【００４６】
また、以上の説明では、撮像レンズ系１２、ひいては、開口部１４の数を二つとしている。しかし、バリア１６の形状を工夫することにより、より多数の撮像レンズ系１２を備えるカメラにも本発明を適用できる。図９は、三つの撮像レンズ系１２、ひいては、三つの開口部１４を備えたカメラにおけるバリア１６の形状および移動の様子を示す図である。
【００４７】
この例では、三つの開口部１４ａ，１４ｂ，１４ｃは略正三角形状に配置されている。すなわち、基板２２には、下側に二つの開口部１４ｂ，１４ｃ、上側に一つの開口部１４ａが形成されている。この三つの開口部１４ａ，１４ｂ，１４ｃを覆うバリア１６は、複数個の切欠き６０が形成された略長方形である。具体的には、左下の角部、右下の角部、上側の中央より若干左側の部分に、それぞれ切欠き６０が設けられている。
【００４８】
このバリア１６が、中央位置にある場合（図９（Ａ））、三つの開口部１４ａ，１４ｂ，１４ｃは、全てバリア１６により覆われる。したがって、開口部１４ａ，１４ｂ，１４ｃへの埃等の侵入が防止され、開口部１４および撮像レンズ系１２が保護される。
【００４９】
この状態からバリア１６が左側に移動すると、図９（Ｂ）の状態になる。すなわち、右下の開口部１４ｃのみが露出され、残りの二つの開口部１４ａ，１４ｂはバリア１６により覆われている。逆に、バリア１６が右側へと移動すると図９（Ｃ）の状態になる。すなわち、上側の開口１４ａ部のみが露出され、他の開口部１４ｂ，１４ｃはバリア１６に覆われる。さらに、右側へと移動させると図９（Ｄ）の状態になる。すなわち、左下の開口部１４ｂのみが外部に露出され、残りの開口部１４ａ，１４ｃはバリア１６に覆われる。
【００５０】
以上の説明から明らかなように、開口部１４が三つの場合であっても、バリア１６の一方向のみへの移動で、露出させる開口部１４を択一的に切り替えることができる。その結果、バリア１６の移動機構を簡略化でき、部品点数の低減、ひいては、カメラの小型化、コスト削減を図ることができる。
【図面の簡単な説明】
【００５１】
【図１】本発明の実施形態であるデジタルカメラの斜視図である。
【図２】デジタルカメラの内部の構成を示す一部透視図である。
【図３】デジタルカメラの背面図である。
【図４】図１における概略Ｂ−Ｂ断面図である。
【図５】デジタルカメラの構成を示すブロック図である。
【図６】バリアの移動の様子を示す図である。
【図７】デジタルカメラの他の例を示す図である。
【図８】他のバリアの移動の様子を示す図である。
【図９】他のバリアの形状および移動の様子を示す図である。
【符号の説明】
【００５２】
１０  デジタルカメラ、１２  撮像レンズ系、１３  撮像素子、１４  開口部、１６  バリア、１８  貫通孔、２０  外装体、２２  基板、２４  ストロボ、３１  移動機構、３２  モータ、３４  リードスクリュー、３６  螺合部、３８  リミットスイッチ、４０  ガイドレール、４２  バリア設定スイッチ、４８  保護フィルム、５０  制御部、６０  切欠き部。
【図１】
2007041023.tif 000003
【図２】
2007041023.tif 000004
【図３】
2007041023.tif 000005
【図４】
2007041023.tif 000006
【図５】
2007041023.tif 000007
【図６】
2007041023.tif 000008
【図７】
2007041023.tif 000009
【図８】
2007041023.tif 000010
【図９】
2007041023.tif 000011